(57)【要約】  本発明は、スマートフォン上で実現されるスマートフォンを用いた通話中のアプリケーション連携システムおよび方法に関し、発信者端末の呼接続に基づいて前記発信者端末と電話通話を連結し、前記呼接続に対応するユーザの応答を待つ通話待機画面、前記発信者端末との通話状態を表示する通話中画面、および前記発信者端末と通話が終了した状態を表示する通話終了画面を出力する電話通話モジュールと、前記通話待機画面または前記通話中画面上に複数の連携アプリケーション実行アイコンを含む連携アプリケーションアイコン表示ウィンドウを提供し、前記連携アプリケーション実行アイコンが入力されると、対応する連携アプリケーションを呼び出して前記通話待機画面または前記通話中画面それぞれで実行させ、前記連携アプリケーションの使用が終了すれば、前記通話待機画面または前記通話中画面に自動復帰させる通話中のアプリケーション連携モジュールとを含む。【選択図】図１
2020516205.tif 000002
【特許請求の範囲】
【請求項１】
発信者端末の呼接続に基づいて前記発信者端末と電話通話を連結し、前記呼接続に対応するユーザの応答を待つ通話待機画面、前記発信者端末との通話状態を表示する通話中画面、および前記発信者端末と通話が終了した状態を表示する通話終了画面を出力する電話通話モジュールと、
前記通話待機画面または前記通話中画面上に複数の連携アプリケーション実行アイコンを含む連携アプリケーションアイコン表示ウィンドウを提供し、前記連携アプリケーション実行アイコンが入力されると、対応する連携アプリケーションを呼び出して前記通話待機画面または前記通話中画面それぞれで実行させ、前記連携アプリケーションの使用が終了すれば、前記通話待機画面または前記通話中画面に自動復帰させる通話中のアプリケーション連携モジュールとを含むスマートフォンを用いた通話中のアプリケーション連携システム。
【請求項２】
前記連携アプリケーションアイコン表示ウィンドウには緊急状況通知アプリケーション実行アイコンが表示され、
ユーザによって前記緊急状況通知アプリケーション実行アイコンが入力される場合、前記通話待機画面または前記通話中画面上にボイスフィッシングや緊急救助を知らせるためのユーザインタフェースを提供する緊急状況通知ページを表示し、ユーザの入力に対応して、予め指定された対象者にボイスフィッシング状態を知らせたり、緊急救助信号を送る緊急状況通知モジュールをさらに含む、請求項１に記載のスマートフォンを用いた通話中のアプリケーション連携システム。
【請求項３】
前記緊急状況通知ページは、ボイスフィッシング状態を指定された対象者に知らせるためのユーザ入力項目であるボイスフィッシング通知選択項目と、緊急救助信号を送るためのユーザ入力項目である緊急救助通知選択項目とを含む、請求項２に記載のスマートフォンを用いた通話中のアプリケーション連携システム。
【請求項４】
前記緊急状況通知モジュールは、ユーザによって前記ボイスフィッシング通知選択項目が入力されると、ユーザがボイスフィッシング通知対象者を指定できるボイスフィッシング通知ページを活性化させ、前記ボイスフィッシング通知ページでユーザによって選択された対象者にボイスフィッシングを知らせる文字メッセージを送ったり、当該対象者の携帯電話に呼連結を試みる、請求項３に記載のスマートフォンを用いた通話中のアプリケーション連携システム。
【請求項５】
前記緊急状況通知モジュールは、ユーザによって前記緊急救助通知選択項目が入力されると、ユーザが緊急救助通報対象者を選択できる緊急救助通知ページを活性化させ、前記緊急救助通知ページでユーザによって選択された通報先に緊急救助信号を送ったり、前記通報先の電話番号に呼連結を試みる、請求項３に記載のスマートフォンを用いた通話中のアプリケーション連携システム。
【請求項６】
前記通話待機画面上に着信を知らせるベル音または振動を無音に切り替えるための無音切替選択部を画面出力し、ユーザによって前記無音切替選択部が入力されると、着信ベルまたは振動を無音に切り替える無音切替モジュールをさらに含む、請求項１に記載のスマートフォンを用いた通話中のアプリケーション連携システム。
【請求項７】
前記無音切替選択部は、前記通話待機画面の上端部にスライド入力形態で画面出力され、前記無音切替選択部がスライド入力される時、前記無音切替選択部が消えて当該位置に前記連携アプリケーションアイコン表示ウィンドウが画面出力される、請求項６に記載のスマートフォンを用いた通話中のアプリケーション連携システム。
【請求項８】
前記連携アプリケーションが実行されていないメインメニュー状態で前記通話待機画面、前記通話中画面、および前記通話終了画面それぞれに広告コンテンツおよび広告コンテンツリンク項目を提供し、前記広告コンテンツリンク項目が入力されると、前記広告コンテンツに連携された広告連携モバイルウェブページへのリンクサービスを提供する広告連携モジュールをさらに含む、請求項１に記載のスマートフォンを用いた通話中のアプリケーション連携システム。
【請求項９】
前記広告連携モジュールは、前記通話待機画面および前記通話中画面上には、プッシュ型広告コンテンツを所定の時間間隔で自動スライド移動するように表示し、前記通話終了画面上には、前記通話待機画面および前記通話中画面上でスライド移動して表示されていた広告コンテンツを手動でスライド移動するように表示し、
前記電話通話モジュールは、ユーザによって通話終了が選択された後に、前記通話終了画面上に通話終了画面離脱アイコンを提供し、ユーザによって前記通話終了画面離脱アイコンが入力された場合に、前記通話終了画面を終了させる、請求項８に記載のスマートフォンを用いた通話中のアプリケーション連携システム。
【請求項１０】
前記連携アプリケーションアイコン表示ウィンドウにはメインメニュー移動アイコンが表示され、
前記広告連携モジュールは、ユーザによって前記メインメニュー移動アイコンが入力されると、他の連携アプリケーションの実行状態で前記広告コンテンツを表示する状態に切り替える、請求項８に記載のスマートフォンを用いた通話中のアプリケーション連携システム。
【請求項１１】
前記連携アプリケーションアイコン表示ウィンドウには名刺検索アイコンが表示され、
前記名刺検索アイコンが入力される場合、発信者電話番号表示サービスによって提供される発信者電話番号に対応して、メモリに既に保存された名刺を抽出して画面に出力する発信者マッチング名刺検索モジュールをさらに含む、請求項１に記載のスマートフォンを用いた通話中のアプリケーション連携システム。
【請求項１２】
前記発信者マッチング名刺検索モジュールは、前記名刺が表示される名刺表示部に隣接して、前記発信者電話番号とやり取りした文字メッセージを画面に出力する、請求項１１に記載のスマートフォンを用いた通話中のアプリケーション連携システム。
【請求項１３】
前記連携アプリケーションアイコン表示ウィンドウには連絡先アプリケーション実行アイコンが表示され、
前記通話中のアプリケーション連携モジュールは、前記連絡先アプリケーション実行アイコンが入力されると、前記スマートフォンにインストールされた連絡先アプリケーションを呼び出して実行させる、請求項１に記載のスマートフォンを用いた通話中のアプリケーション連携システム。
【請求項１４】
前記連携アプリケーションアイコン表示ウィンドウには日程管理アプリケーション実行アイコンが表示され、
ユーザによって前記日程管理アプリケーション実行アイコンが入力されると、月暦が表示されるカレンダー表示部と、日付および当該日付の日程タイトルを表示する日付表示部と、新しい日程を追加して記録できる日程追加選択ボタンを画面に出力する日程管理モジュールをさらに含む、請求項１に記載のスマートフォンを用いた通話中のアプリケーション連携システム。
【請求項１５】
前記日程管理モジュールは、ユーザによって前記日付表示部のいずれか１つが入力される場合、当該日付の日程を時系列的に表示する日程表示ウィンドウを提供し、
前記日程表示ウィンドウ上で個別日程を示すテキストをタッチ入力可能な個別日程選択項目として提供し、ユーザによって前記個別日程選択項目が入力されると、当該日程を詳細に表示する詳細日程表示ウィンドウを画面に出力する、請求項１４に記載のスマートフォンを用いた通話中のアプリケーション連携システム。
【請求項１６】
前記日程管理モジュールは、前記詳細日程表示ウィンドウの一側に日程共有項目を提供し、ユーザによって前記日程共有項目が入力されると、当該日程の共有手段を選択するための日程共有手段選択ウィンドウを提供し、前記日程共有手段選択ウィンドウには、電子メール、文字メッセージ、ウェブハード、およびＳＮＳの少なくとも２以上の日程共有手段選択項目が表示され、前記日程共有手段選択項目のいずれか１つの選択項目が入力されると、選択された共有手段を介して前記詳細日程表示ウィンドウに記録された日程情報を送って共有する、請求項１５に記載のスマートフォンを用いた通話中のアプリケーション連携システム。
【請求項１７】
前記連携アプリケーションアイコン表示ウィンドウには常時メモアプリケーション実行アイコンが表示され、
ユーザによって前記常時メモアプリケーション実行アイコンが入力される時、メモアプリケーションを呼び出して実行させる常時メモモジュールをさらに含む、請求項１に記載のスマートフォンを用いた通話中のアプリケーション連携システム。
【請求項１８】
前記常時メモモジュールは、前記電話通話モジュールによって前記通話待機画面、前記通話中画面、および前記通話終了画面のいずれか１つの画面が出力される時、前記スマートフォンの一側に挿入されたスタイラスペンの引出を検知する場合、前記メモアプリケーションを呼び出して実行させる、請求項１７に記載のスマートフォンを用いた通話中のアプリケーション連携システム。
【請求項１９】
前記連携アプリケーションアイコン表示ウィンドウには音声検索アプリケーション実行アイコンが表示され、
前記通話中のアプリケーション連携モジュールは、ユーザによって前記音声検索アプリケーション実行アイコンが入力されると、前記スマートフォンに設けられた音声検索エンジンを呼び出して実行させる、請求項１に記載のスマートフォンを用いた通話中のアプリケーション連携システム。
【請求項２０】
前記連携アプリケーションアイコン表示ウィンドウにはインターネット検索アプリケーション実行アイコンが表示され、
前記通話中のアプリケーション連携モジュールは、ユーザによって前記インターネット検索アプリケーションアイコンが入力されると、前記スマートフォンにインストールされたインターネット検索アプリケーションを呼び出して実行させる、請求項１に記載のスマートフォンを用いた通話中のアプリケーション連携システム。
【請求項２１】
前記連携アプリケーションアイコン表示ウィンドウにはポイント管理アプリケーション実行アイコンが表示され、
ユーザによって前記ポイント管理アプリケーション実行アイコンが入力されると、ユーザの保有ポイントおよび使用ポイントを画面に出力するポイント管理モジュールをさらに含む、請求項１に記載のスマートフォンを用いた通話中のアプリケーション連携システム。
【請求項２２】
前記連携アプリケーションアイコン表示ウィンドウには受信音消去トグルアイコンが表示され、
前記通話中のアプリケーション連携モジュールは、ユーザによって前記受信音消去トグルアイコンが入力される場合、受信音の消去および復帰を切り替える、請求項１に記載のスマートフォンを用いた通話中のアプリケーション連携システム。
【請求項２３】
（ａ）発信者端末の呼接続に対応して、ユーザの応答を待つ通話待機画面を提供するステップと、
（ｂ）前記通話待機画面上でユーザによって通話連結が入力されると、前記発信者端末との通話連結状態を表示する通話中画面を提供するステップと、
（ｃ）前記通話中画面上でユーザによって通話終了が入力されると、前記発信者端末と通話が終了した状態を表示する通話終了画面を提供するステップとを含み、
前記通話待機画面または前記通話中画面それぞれで複数の連携アプリケーション実行アイコンを含む連携アプリケーションアイコン表示ウィンドウを提供し、
前記連携アプリケーション実行アイコンが入力されると、対応する連携アプリケーションを呼び出して前記通話待機画面または前記通話中画面それぞれで実行させ、
前記連携アプリケーションの実行が終了すれば、前記通話待機画面または前記通話中画面に自動復帰させるスマートフォンを用いた通話中のアプリケーション連携方法。
【請求項２４】
前記通話待機画面、前記通話中画面、および前記通話終了画面それぞれで広告コンテンツおよび広告コンテンツリンク項目を提供し、
前記広告コンテンツリンク項目が入力されると、前記広告コンテンツに連携された広告連携モバイルウェブページへのリンクサービスを提供する、請求項２３に記載のスマートフォンを用いた通話中のアプリケーション連携方法。
【発明の詳細な説明】
【技術分野】
【０００１】
本発明は、スマートフォンを用いた通話中のアプリケーション連携システムおよび方法に関し、通話待機画面、通話中画面、および通話終了画面それぞれでワンクリックでアプリケーションを連携して実行させることができるようにしたスマートフォンを用いた通話中のアプリケーション連携システムおよび方法に関する。
【背景技術】
【０００２】
最近、モバイル端末の機能拡大に伴い、単純に電話通話だけのための装置から一歩進んで、アンドロイド（Ａｎｄｒｏｉｄ（登録商標））またはｉＯＳ（登録商標）などのようなオペレーションシステムに基づいて多様なアプリケーションがインストールされて運用されており、このような通信端末を「スマートフォン（Ｓｍａｒｔ  Ｐｈｏｎｅ）」と称している。
【０００３】
スマートフォンのオペレーションシステムは、多様なアプリケーションの開発および使用を支援しており、スマートフォンの発売初期に基本的にインストールされるアプリケーション以外にも、ユーザがモバイルマーケットやインターネットウェブページに接続して所望のアプリケーションをインストールして用いることができる。
【０００４】
スマートフォン上でアプリケーションを実行するためには、当該アプリケーションのアイコンをタッチで入力しなければならない。通常、ホーム画面やホーム画面で連携されたバックグラウンド画面上に実行アイコンを配置し、アイコンをワンクリックしてアプリケーションを実行させる。
【０００５】
ところが、通話待機画面や通話中画面で所望のアプリケーションを実行させようとする時には、通話連結画面から離脱してアプリケーションを実行させなければならない。
【０００６】
特に、ユーザが子供を装うボイスフィッシングに遭ったり、人質犯から電話を受ける場合、あるいは、切迫な状況に処された相手から電話を受けた場合、通話中にすぐに子供に確認をしたり、緊急通報をする必要がある。この場合、ユーザは、ボイスフィッシングが疑われる相手からの通話待機状態、または、通話中状態で通報アプリを用いることが必要である。しかし、通話待機画面や通話中画面から離脱するためにホームキーを入力し、ホーム画面またはアプリボックスを実行させた後の画面で通報アプリを探して実行させる過程は、非常に煩わしい問題がある。また、このような一連の手順を犯罪相手にばれるのを恐れて諦めてしまう場合が多い。
【０００７】
他の例として、通話待機画面や通話中画面で通常知られたアプリケーションを実行させる過程も非常に煩わしい。例えば、通話待機画面で発信者番号表示サービス（ＣＩＤ：Ｃａｌｌｅｒ  Ｉｄｅｎｔｉｆｉｃａｔｉｏｎ  Ｄｉｓｐｌａｙ）によって相手の電話番号が表示される時、相手についてより詳しい情報を検索するために、ギャラリーアプリ、メッセンジャーアプリ、メモアプリなどを実行させて相手の写真、相手とやり取りした文字メッセージ、相手関連で記録したメモを確認する場合がある。この時、ユーザは、通話待機画面でホームキーを押してホーム画面に移動したり、アプリボタンを入力してアプリの並ぶ画面に移動しなければならない。ほとんどの場合、多い段階のキー入力を経て所望のアプリを実行させることができる。また、確認が終わった後に、再び通話待機画面に復帰して電話を受信しなければならないが、通話待機画面に復帰するのが非常に煩わしいだけでなく、間違った入力で通話受信が拒否される場合が頻繁に発生する。
【０００８】
さらに他の例として、ＡＲＳ（Ａｕｔｏｍａｔｉｃ  Ｒｅｓｐｏｎｓｅ  Ｓｅｒｖｉｃｅ）を利用する場合、通話中の状態でキーパッドを介して個人情報や銀行口座番号などを入力する場合が発生することがある。通常、通話中画面上には仮想キーパッドを活性化させるボタンが具備され、ユーザがキーパッドを活性化させて自動応答サービスで要求する情報を入力する。ところが、個人情報や銀行口座番号などを憶えていない場合、アドレス帳やメモなどで個人情報や銀行口座番号などを検索しなければならない。この場合にも、仮想キーパッドが活性化された状態で、ホームキーを入力してホーム画面に移動し、所望のアプリケーションを探して実行しなければならず、検索が終わると、再び元の画面に復帰して仮想キーパッドを再び実行させるなどと非常に複雑な過程を経なければならない問題がある。
【０００９】
さらに他の例として、ビジネスに関連する通話中に会議日程を確認したり新たに入力しなければならない場合が発生することがある。この場合にも、通話中画面からホームキーを入力して離脱した後に日程管理アプリ（例えば、カレンダーとともに日程を確認し入力するアプリ）を実行させなければならず、日程管理の確認や入力が完了した後には、再び電話通話アプリを実行させて通話中画面に復帰しなければならない。このような問題点は、通話中の状態で日程管理アプリケーションを用いることをためらわせる。これによって、通話が終了した後に、日程管理アプリを実行させて日程管理を確認したり新たに入力する場合が多いが、通話中に交わしていた対話内容を正確に憶えられず会議の日付を間違って入力したり、会議日程に関連する重要な内容を入力できないなどの問題が発生することがある。
【００１０】
一方、韓国特許第１０−０６６０６５５号は、ユーザが通話内容を忘れる前にすぐに日程管理が可能なモバイル端末における通話終了後の日程管理方法および装置を開示している。同先行文献を参照すれば、通話終了後、ユーザから日程管理の要請を受けると、通話終了画面に日程管理画面をすぐに連結して日付および日程内容の入力を受けて登録する一連の過程を記載している。
【００１１】
しかし、通話が終了した後に日程管理アプリケーションに連結されるので、依然として通話していた内容を憶えられず日程を間違って入力したり重要な内容の記入漏れの蓋然性が存在する。さらに、通話中に相手と入力された日程および重要なメモを対照して確認（Ｃｒｏｓｓ  Ｃｈｅｃｋ）できない問題点がある。
【発明の概要】
【発明が解決しようとする課題】
【００１２】
本発明は、上記の問題点を解決するためになされたものであって、通話待機画面、通話中画面、および通話終了画面上にワンクリックでアプリケーションを実行させることができる連携アプリケーション実行メニューを提供し、ユーザが１回の入力で連携アプリケーションを実行させることはもちろん、元の通話関連画面に復帰可能にすることで、通話状態でもアプリケーションを効果的に活用させ、ユーザの便宜性を増進させることができる通話中のアプリケーション連携システムおよび方法を提供することを目的とする。
【００１３】
また、本発明は、通話待機画面や通話中画面上でワンクリックで緊急状況通知アプリケーションを実行することができ、緊急状況通知ページ上で予め指定された連絡先にボイスフィッシングを知らせたり、警察、消防署、サイバー安全局などに緊急救助信号を送ることにより、ユーザが通話中の状態でも相手との通話を維持しながら、予め指定された子供の携帯電話にボイスフィッシングの事実を確認したり、警察に犯罪現場を直ちに通報したり、消防署に緊急状況を通報して直ちに対応できるようにすることを他の目的とする。
【００１４】
また、本発明は、連携アプリケーションが実行されていない環境では、遊休空間に広告コンテンツおよびリンクサービスを提供してユーザに多様な情報および割引優遇を提供できるようにすることをさらに他の目的とする。
【００１５】
また、本発明は、発信者情報にマッチングする名刺を検索して通話待機画面または通話中画面に提供することにより、ユーザが発信者の詳細情報および発信者とやり取りした文字メッセージなどを簡単に閲覧できるようにすることをさらに他の目的とする。
【００１６】
また、本発明は、日程管理アプリケーションを連携させて通話連結状態の画面上に表示することにより、通話に関連する日程をカレンダーの年、月、日関連で直ちに確認し記録できるようにすることをさらに他の目的とする。
【００１７】
また、本発明は、通話中に特定の日程やメモを通話相手または第三者に送って共有させることにより、リアルタイムに日程やメモをクロスチェック（Ｃｒｏｓｓ  Ｃｈｅｃｋ）できるようにすることをさらに他の目的とする。
【００１８】
また、本発明は、通話中に音声認識エンジンを用いて連絡先やインターネット検索などを行う時、受信音消去トグルアイコンを用いて通話連結画面上でワンクリックで受信音をトグル方式で遮断させることにより、容易で迅速な音声検索を可能にし、音声信号を文字に切り替えて入力可能にすることをさらに他の目的とする。
【００１９】
本発明の解決課題は以上に言及したものなどに限定されず、言及されていない他の解決課題は以下の記載から当業者に明確に理解されるであろう。
【課題を解決するための手段】
【００２０】
本発明の一実施形態に係るスマートフォンを用いた通話中のアプリケーション連携システムは、発信者端末の呼接続に基づいて前記発信者端末と電話通話を連結し、前記呼接続に対応するユーザの応答を待つ通話待機画面、前記発信者端末との通話状態を表示する通話中画面、および前記発信者端末と通話が終了した状態を表示する通話終了画面を出力する電話通話モジュールと、前記通話待機画面または前記通話中画面上に複数の連携アプリケーション実行アイコンを含む連携アプリケーションアイコン表示ウィンドウを提供し、前記連携アプリケーション実行アイコンが入力されると、対応する連携アプリケーションを呼び出して前記通話待機画面または前記通話中画面それぞれで実行させ、前記連携アプリケーションの使用が終了すれば、前記通話待機画面または前記通話中画面に自動復帰させる通話中のアプリケーション連携モジュールとを含む。
【００２１】
本発明の他の実施形態に係るスマートフォンを用いた通話中のアプリケーション連携システムは、前記連携アプリケーションアイコン表示ウィンドウには緊急状況通知アプリケーション実行アイコンが表示され、ユーザによって前記緊急状況通知アプリケーション実行アイコンが入力される場合、前記通話待機画面または前記通話中画面上にボイスフィッシングや緊急救助を知らせるためのユーザインタフェースを提供する緊急状況通知ページを表示し、ユーザの入力に対応して、予め指定された対象者にボイスフィッシング状態を知らせたり、緊急救助信号を送る緊急状況通知モジュールをさらに含む。
【００２２】
本発明のさらに他の実施形態に係るスマートフォンを用いた通話中のアプリケーション連携システムは、前記緊急状況通知ページは、ボイスフィッシング状態を指定された対象者に知らせるためのユーザ入力項目であるボイスフィッシング通知選択項目と、緊急救助信号を送るためのユーザ入力項目である緊急救助通知選択項目とを含む。
【００２３】
本発明のさらに他の実施形態に係るスマートフォンを用いた通話中のアプリケーション連携システムは、前記緊急状況通知モジュールは、ユーザによって前記ボイスフィッシング通知選択項目が入力されると、ユーザがボイスフィッシング通知対象者を指定できるボイスフィッシング通知ページを活性化させ、前記ボイスフィッシング通知ページでユーザによって選択された対象者にボイスフィッシングを知らせる文字メッセージを送ったり、当該対象者の携帯電話に呼連結を試みる。
【００２４】
本発明のさらに他の実施形態に係るスマートフォンを用いた通話中のアプリケーション連携システムは、前記緊急状況通知モジュールは、ユーザによって前記緊急救助通知選択項目が入力されると、ユーザが緊急救助通報対象者を選択できる緊急救助通知ページを活性化させ、前記緊急救助通知ページでユーザによって選択された通報先に緊急救助信号を送ったり、前記通報先の電話番号に呼連結を試みる。
【００２５】
本発明のさらに他の実施形態に係るスマートフォンを用いた通話中のアプリケーション連携システムは、前記通話待機画面上に着信を知らせるベル音または振動を無音に切り替えるための無音切替選択部を画面出力し、ユーザによって前記無音切替選択部が入力されると、着信ベルまたは振動を無音に切り替える無音切替モジュールをさらに含む。
【００２６】
本発明のさらに他の実施形態に係るスマートフォンを用いた通話中のアプリケーション連携システムは、前記無音切替選択部は、前記通話待機画面の上端部にスライド入力形態で画面出力され、前記無音切替選択部がスライド入力される時、前記無音切替選択部が消えて当該位置に前記連携アプリケーションアイコン表示ウィンドウが画面出力される。
【００２７】
本発明のさらに他の実施形態に係るスマートフォンを用いた通話中のアプリケーション連携システムは、前記連携アプリケーションが実行されていないメインメニュー状態で前記通話待機画面、前記通話中画面、および前記通話終了画面それぞれに広告コンテンツおよび広告コンテンツリンク項目を提供し、前記広告コンテンツリンク項目が入力されると、前記広告コンテンツに連携された広告連携モバイルウェブページへのリンクサービスを提供する広告連携モジュールをさらに含む。
【００２８】
本発明のさらに他の実施形態に係るスマートフォンを用いた通話中のアプリケーション連携システムは、前記広告連携モジュールは、前記通話待機画面および前記通話中画面上には、プッシュ型広告コンテンツを所定の時間間隔で自動スライド移動するように表示し、前記通話終了画面上には、前記通話待機画面および前記通話中画面上でスライド移動して表示されていた広告コンテンツを手動でスライド移動するように表示し、前記電話通話モジュールは、ユーザによって通話終了が選択された後に、前記通話終了画面上に通話終了画面離脱アイコンを提供し、ユーザによって前記通話終了画面離脱アイコンが入力された場合に、前記通話終了画面を終了させる。
【００２９】
本発明のさらに他の実施形態に係るスマートフォンを用いた通話中のアプリケーション連携システムは、前記連携アプリケーションアイコン表示ウィンドウにはメインメニュー移動アイコンが表示され、前記広告連携モジュールは、ユーザによって前記メインメニュー移動アイコンが入力されると、他の連携アプリケーションの実行状態で前記広告コンテンツを表示する状態に切り替える。
【００３０】
本発明のさらに他の実施形態に係るスマートフォンを用いた通話中のアプリケーション連携システムは、前記連携アプリケーションアイコン表示ウィンドウには名刺検索アイコンが表示され、前記名刺検索アイコンが入力される場合、発信者電話番号表示サービスによって提供される発信者電話番号に対応して、メモリに既に保存された名刺を抽出して画面に出力する発信者マッチング名刺検索モジュールをさらに含む。
【００３１】
本発明のさらに他の実施形態に係るスマートフォンを用いた通話中のアプリケーション連携システムは、前記発信者マッチング名刺検索モジュールは、前記名刺が表示される名刺表示部に隣接して、前記発信者電話番号とやり取りした文字メッセージを画面に出力する。
【００３２】
本発明のさらに他の実施形態に係るスマートフォンを用いた通話中のアプリケーション連携システムは、前記連携アプリケーションアイコン表示ウィンドウには連絡先アプリケーション実行アイコンが表示され、前記通話中のアプリケーション連携モジュールは、前記連絡先アプリケーション実行アイコンが入力されると、前記スマートフォンにインストールされた連絡先アプリケーションを呼び出して実行させる。
【００３３】
本発明のさらに他の実施形態に係るスマートフォンを用いた通話中のアプリケーション連携システムは、前記連携アプリケーションアイコン表示ウィンドウには日程管理アプリケーション実行アイコンが表示され、ユーザによって前記日程管理アプリケーション実行アイコンが入力されると、月暦が表示されるカレンダー表示部と、日付および当該日付の日程タイトルを表示する日付表示部と、新しい日程を追加して記録できる日程追加選択ボタンを画面に出力する日程管理モジュールをさらに含む。
【００３４】
本発明のさらに他の実施形態に係るスマートフォンを用いた通話中のアプリケーション連携システムは、前記日程管理モジュールは、ユーザによって前記日付表示部のいずれか１つが入力される場合、当該日付の日程を時系列的に表示する日程表示ウィンドウを提供し、前記日程表示ウィンドウ上で個別日程を示すテキストをタッチ入力可能な個別日程選択項目として提供し、ユーザによって前記個別日程選択項目が入力されると、当該日程を詳細に表示する詳細日程表示ウィンドウを画面に出力する。
【００３５】
本発明のさらに他の実施形態に係るスマートフォンを用いた通話中のアプリケーション連携システムは、前記日程管理モジュールは、前記詳細日程表示ウィンドウの一側に日程共有項目を提供し、ユーザによって前記日程共有項目が入力されると、当該日程の共有手段を選択するための日程共有手段選択ウィンドウを提供し、前記日程共有手段選択ウィンドウには、電子メール、文字メッセージ、ウェブハード、およびＳＮＳの少なくとも２以上の日程共有手段選択項目が表示され、前記日程共有手段選択項目のいずれか１つの選択項目が入力されると、選択された共有手段を介して前記詳細日程表示ウィンドウに記録された日程情報を送って共有する。
【００３６】
本発明のさらに他の実施形態に係るスマートフォンを用いた通話中のアプリケーション連携システムは、前記連携アプリケーションアイコン表示ウィンドウには常時メモアプリケーション実行アイコンが表示され、ユーザによって前記常時メモアプリケーション実行アイコンが入力される時、メモアプリケーションを呼び出して実行させる常時メモモジュールをさらに含む。
【００３７】
本発明のさらに他の実施形態に係るスマートフォンを用いた通話中のアプリケーション連携システムは、前記常時メモモジュールは、前記電話通話モジュールによって前記通話待機画面、前記通話中画面、および前記通話終了画面のいずれか１つの画面が出力される時、前記スマートフォンの一側に挿入されたスタイラスペンの引出を検知する場合、前記メモアプリケーションを呼び出して実行させる。
【００３８】
本発明のさらに他の実施形態に係るスマートフォンを用いた通話中のアプリケーション連携システムは、前記連携アプリケーションアイコン表示ウィンドウには音声検索アプリケーション実行アイコンが表示され、前記通話中のアプリケーション連携モジュールは、ユーザによって前記音声検索アプリケーション実行アイコンが入力されると、前記スマートフォンに設けられた音声検索エンジンを呼び出して実行させる。
【００３９】
本発明のさらに他の実施形態に係るスマートフォンを用いた通話中のアプリケーション連携システムは、前記連携アプリケーションアイコン表示ウィンドウにはインターネット検索アプリケーション実行アイコンが表示され、前記通話中のアプリケーション連携モジュールは、ユーザによって前記インターネット検索アプリケーションアイコンが入力されると、前記スマートフォンにインストールされたインターネット検索アプリケーションを呼び出して実行させる。
【００４０】
本発明のさらに他の実施形態に係るスマートフォンを用いた通話中のアプリケーション連携システムは、前記連携アプリケーションアイコン表示ウィンドウにはポイント管理アプリケーション実行アイコンが表示され、ユーザによって前記ポイント管理アプリケーション実行アイコンが入力されると、ユーザの保有ポイントおよび使用ポイントを画面に出力するポイント管理モジュールをさらに含む。
【００４１】
本発明のさらに他の実施形態に係るスマートフォンを用いた通話中のアプリケーション連携システムは、前記連携アプリケーションアイコン表示ウィンドウには受信音消去トグルアイコンが表示され、前記通話中のアプリケーション連携モジュールは、ユーザによって前記受信音消去トグルアイコンが入力される場合、受信音の消去および復帰を切り替える。
【００４２】
本発明の一実施形態に係るスマートフォンを用いた通話中のアプリケーション連携方法は、（ａ）発信者端末の呼接続に対応して、ユーザの応答を待つ通話待機画面を提供するステップと、（ｂ）前記通話待機画面上でユーザによって通話連結が入力されると、前記発信者端末との通話連結状態を表示する通話中画面を提供するステップと、（ｃ）前記通話中画面上でユーザによって通話終了が入力されると、前記発信者端末と通話が終了した状態を表示する通話終了画面を提供するステップとを含み、前記通話待機画面または前記通話中画面それぞれで複数の連携アプリケーション実行アイコンを含む連携アプリケーションアイコン表示ウィンドウを提供し、前記連携アプリケーション実行アイコンが入力されると、対応する連携アプリケーションを呼び出して前記通話待機画面または前記通話中画面それぞれで実行させ、前記連携アプリケーションの実行が終了すれば、前記通話待機画面または前記通話中画面に自動復帰させる。
【００４３】
本発明の他の実施形態に係るスマートフォンを用いた通話中のアプリケーション連携方法は、前記通話待機画面、前記通話中画面、および前記通話終了画面それぞれで広告コンテンツおよび広告コンテンツリンク項目を提供し、前記広告コンテンツリンク項目が入力されると、前記広告コンテンツに連携された広告連携モバイルウェブページへのリンクサービスを提供する。
【発明の効果】
【００４４】
本発明のスマートフォンを用いた通話中のアプリケーション連携システムおよび方法によれば、通話待機画面、通話中画面、および通話終了画面上にワンクリックでアプリケーションを実行させることができる連携アプリケーション実行メニューを提供し、ユーザが１回の入力で連携アプリケーションを実行させることはもちろん、元の通話関連画面に復帰可能にすることで、通話状態でもアプリケーションを効果的に活用させ、ユーザの便宜性を増進させることができる効果がある。
【００４５】
また、本発明によれば、通話待機画面や通話中画面上でワンクリックで緊急状況通知アプリケーションを実行することができ、緊急状況通知ページ上で予め指定された連絡先にボイスフィッシングを知らせたり、警察、消防署、サイバー安全局などに緊急救助信号を送ることにより、ユーザが通話中の状態でも相手との通話を維持しながら、予め指定された子供の携帯電話にボイスフィッシングの事実を確認したり、警察に犯罪現場を直ちに通報したり、消防署に緊急状況を通報して直ちに対応できるようにする効果がある。
【００４６】
また、本発明によれば、連携アプリケーションが実行されていない環境では、遊休空間に広告コンテンツおよびリンクサービスを提供してユーザに多様な販促情報および割引優遇を提供できるようにする効果がある。
【００４７】
また、本発明によれば、通話待機画面または通話中画面で名刺検索アイコンを入力するワンクリック動作で発信者情報にマッチングする名刺および発信者とやり取りしたメッセージを検索して表示することにより、ユーザが発信者の詳細情報および発信者とやり取りした文字メッセージを容易で迅速に閲覧させることができる。
【００４８】
また、本発明によれば、日程管理アプリケーションを連携させて通話連結状態の画面上に表示することにより、通話に関連する日程をカレンダーの年、月、日関連で直ちに確認し記録させることができる。
【００４９】
また、本発明によれば、通話中に特定の日程やメモを通話相手または第三者に送って共有させることにより、リアルタイムに日程やメモをクロスチェック（Ｃｒｏｓｓ  Ｃｈｅｃｋ）できるようにする効果がある。
【００５０】
また、本発明によれば、通話中に音声認識エンジンを用いて連絡先やインターネット検索などを行う時、受信音消去トグルアイコンを用いて通話連結画面上でワンクリックで受信音をトグル方式で遮断させることにより、容易で迅速な音声検索を可能にし、音声信号を文字に切り替えて入力可能にすることにより、ユーザの便宜性をさらに高めることができる。
【００５１】
本発明の効果は以上に言及されたものに限定されず、言及されていない他の解決課題は以下の記載から当業者に明確に理解されるであろう。
【図面の簡単な説明】
【００５２】
【図１】本発明に係るスマートフォンを用いた通話中のアプリケーション連携システムを例示したブロック図である。
【図２】本発明における通話待機画面状態でのアプリケーション連携方法を例示したフローチャートである。
【図３】本発明における通話中画面状態でのアプリケーション連携方法を例示したフローチャートである。
【図４】本発明における通話終了画面状態でのアプリケーション連携方法を例示したフローチャートである。
【図５】電話受信時の通話待機画面を例示した図である。
【図６】本発明における緊急状況通知アプリケーションが実行された状態を例示した図である。
【図７】図６から進んで、ボイスフィッシング通知画面に切り替えられた状態を例示した図である。
【図８】ボイスフィッシング通知対象者の情報編集の例を示す図である。
【図９】図６から進んで、緊急救助通知画面に切り替えられた状態を例示した図である。
【図１０】広告連携モバイルウェブページに移動した状態を例示した図である。
【図１１】名刺検索アプリケーションが実行された状態を例示した図である。
【図１２】通話中画面のメインメニュー状態を例示した図である。
【図１３】通話中に連絡先アプリケーションが実行された状態を例示した図である。
【図１４】通話中に日程管理アプリケーションが実行された状態を例示した図である。
【図１５】図１４から進んで、特定の日付の日程表示状態を例示した図である。
【図１６】図１５から進んで、特定の日程の詳細内容表示状態を例示した図である。
【図１７】図１６から進んで、特定の日程の共有形態選択状態を例示した図である。
【図１８】通話中に常時メモアプリケーションが実行された状態を例示した図である。
【図１９】図１８から進んで、詳細メモ内容の表示状態を例示した図である。
【図２０】通話中に音声検索アプリケーションが実行された状態を例示した図である。
【図２１】通話中にインターネット検索アプリケーションが実行された状態を例示した図である。
【図２２】通話中にポイント管理アプリケーションが実行された状態を例示した図である。
【図２３】図２２から進んで、ポイント積立内訳を表示した状態を例示した図である。
【図２４】図２３から進んで、ポイント使用内訳を表示した状態を例示した図である。
【図２５】通話終了画面が実行された状態を例示した図である。
【図２６】図２５から進んで、通話終了画面の離脱選択状態を例示した図である。
【発明を実施するための形態】
【００５３】
以下、添付した図面を参照して、本発明に係る具体的な実施例が説明される。しかし、これは、本発明を特定の実施形態に対して限定しようとするものではなく、本発明の思想および技術範囲に含まれるあらゆる変更、均等物、代替物を含むことが理解されなければならない。
【００５４】
明細書全体にわたって類似の構成および動作を有する部分については、同一の図面符号を付した。そして、本発明に添付した図面は説明の便宜のためのものであって、その形状と相対的な尺度は誇張または省略可能である。
【００５５】
実施例を具体的に説明するにあたり、重複する説明や当該分野で自明な技術に関する説明は省略された。さらに、以下の説明において、ある部分が他の構成要素を「含む」とする時、これは、特に反対の記載がない限り、記載された構成要素の他に構成要素をさらに包含できることを意味する。
【００５６】
また、明細書に記載の「〜部」、「〜器」、「〜モジュール」などの用語は、少なくとも１つの機能や動作を処理する単位を意味し、これは、ハードウェアやソフトウェア、またはハードウェアおよびソフトウェアの結合で実現できる。さらに、ある部分が他の部分と電気的に連結されているとする時、これは、直接的に連結されている場合のみならず、その中間に他の構成を挟んで連結されている場合も含む。
【００５７】
第１、第２などのような序数を含む用語は、多様な構成要素を説明するのに使われるが、前記構成要素は前記用語によって限定されない。前記用語は、１つの構成要素を他の構成要素から区別する目的でのみ使われる。例えば、本発明の権利範囲を逸脱しない範囲で、第２構成要素は第１構成要素と名付けられ、同様に、第１構成要素も第２構成要素と名付けられる。
【００５８】
図１は、本発明に係るスマートフォンを用いた通話中のアプリケーション連携システムを例示したブロック図である。
【００５９】
図１を参照すれば、通常知られているように、発信者端末１１０から通話連結のための呼接続要請が発生すると、無線通信網を介してユーザのスマートフォン１００に呼接続要請が受信される。無線通信網は、例えば、ＣＤＭＡ（Ｃｏｄｅ  Ｄｉｖｉｓｉｏｎ  Ｍｕｌｔｉｐｌｅ  Ａｃｃｅｓｓ）またはＬＴＥ（Ｌｏｎｇ  Ｔｅｒｍ  Ｅｖｏｌｕｔｉｏｎ）などのような移動通信網であってもよい。
【００６０】
本発明のスマートフォンを用いた通話中のアプリケーション連携システムは、図１でスマートフォン１００の下端に示したブロック図のような構成を有する。
【００６１】
スマートフォン１００は、通常知られているように、無線通信部１２２、ユーザ入力部１２４、検知部１２６、ＡＶ入力部１２８、ＡＶ出力部１３０、インタフェース１３２、メモリ１３４、および制御部１５０を備える。
【００６２】
無線通信部１２２は、無線通信網を介して他の通信端末と無線通信を可能にする１つ以上のモジュールを含むことができる。例えば、無線通信部１２２は、移動通信モジュール、無線インターネットモジュール、近距離通信モジュール、ＧＰＳモジュール、放送受信モジュールなどのモジュールを含むことができる。
【００６３】
移動通信モジュールは、基地局、中継端末、サーバなどと連結され、移動通信網を介して無線信号を送受信する。無線信号は、音声呼信号、画像通話呼信号、文字メッセージ、マルチメディアメッセージなど、多様な形態のデータを含むことができる。
【００６４】
無線インターネットモジュールは、無線インターネット接続のためのモジュールであって、スマートフォン１００に内蔵されていたり、外部機器として連結される。例えば、ＷＬＡＮ（Ｗｉｒｅｌｅｓｓ  ＬＡＮ）、ＷｉＦｉ、Ｗｉｂｒｏ（Ｗｉｒｅｌｅｓｓ  Ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などが利用可能である。
【００６５】
近距離通信モジュールは、近距離で無線通信を可能にするモジュールであって、ブルートゥース（登録商標）（Ｂｌｕｅｔｏｏｔｈ（登録商標））、ＲＦＩＤ（Ｒａｄｉｏ  Ｆｒｅｑｕｅｎｃｙ  ＩＤｅｎｔｉｆｉｃａｔｉｏｎ）、ＩｒＤＡ（Ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、Ｚｉｇｂｅｅモジュールなどが利用可能である。
【００６６】
ＧＰＳモジュールは、衛星からスマートフォン１００の現在位置情報を得るためのモジュールであって、３つの衛星を用いて位置および時間情報を算出するモジュールである。
【００６７】
放送受信モジュールは、多様な放送信号を受信するモジュールであって、ＤＭＢＴ（Ｄｉｇｉｔａｌ  Ｍｕｌｔｉｍｅｄｉａ  Ｂｒｏａｄｃａｓｔｉｎｇ  Ｔｅｒｒｅｓｔｒｉａｌ）、ＤＭＢＳ（Ｄｉｇｉｔａｌ  Ｍｕｌｔｉｍｅｄｉａ  Ｂｒｏａｄｃａｓｔｉｎｇ  Ｓａｔｅｌｌｉｔｅ）、ＭｅｄｉａＦＬＯ（Ｍｅｄｉａ  Ｆｏｒｗａｒｄ  Ｌｉｎｋ  Ｏｎｌｙ）、ＤＶＢＨ（Ｄｉｇｉｔａｌ  Ｖｉｄｅｏ  Ｂｒｏａｄｃａｓｔｉｎｇ  Ｈａｎｄｈｅｌｄ）、ＩＳＤＢＴ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）モジュールなどが利用可能である。
【００６８】
ユーザ入力部１２４は、スマートフォン１００の動作制御のための入力を受けるための手段である。ユーザ入力部１２４は、キーパッド（ｋｅｙ  ｐａｄ）、ドームスイッチ（ｄｏｍｅ  ｓｗｉｔｃｈ）、モバイルマウス、ジョグホイール、ジョグスイッチ、タッチキー（ｔｏｕｃｈ  ｋｅｙ）、タッチパネル（ｔｏｕｃｈ  ｐａｎｅｌ）などが利用可能である。特に、本発明では、ＴＵＩ（Ｔｏｕｃｈ  Ｕｓｅｒ  Ｉｎｔｅｒｆａｃｅ）を用いたタッチパネルが用いられ、ユーザは多様なタッチジェスチャーを用いてユーザ命令を入力することができる。
【００６９】
検知部１２６は、スマートフォン１００の開閉状態、方位、加速／減速、ユーザ入力手段の近接の有無などを検出する多様なセンサで構成される。
【００７０】
ＡＶ入力部１２８は、オーディオ信号とビデオ信号を入力するための手段で、例えば、カメラとマイクが含まれる。カメラは、画像通話モードまたは撮影モードでイメージセンサから検出された停止映像または動画の画像フレームを処理する。マイクは、通話モード、録音モード、音声認識モードなどでマイクロホンを介して入力される音声信号を電気的なデータで処理する。
【００７１】
ＡＶ出力部１３０は、視覚、聴覚、および触覚に関連する出力を発生させる装置であって、ディスプレイ手段、スピーカ、アラームモジュール、ハプティックモジュールなどが含まれる。
【００７２】
ディスプレイ手段は、スマートフォンで処理される情報を画面に出力する。ディスプレイ手段は、通話またはアプリケーションの実行に関連するＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）を表示する。ディスプレイ手段は、ＬＣＤ（Ｌｉｑｕｉｄ  Ｃｒｙｓｔａｌ  Ｄｉｓｐｌａｙ）、薄膜トランジスタ液晶ディスプレイ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）、有機発光ダイオード（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）、フレキシブルディスプレイ（Ｆｌｅｘｉｂｌｅ  Ｄｉｓｐｌａｙ）などで構成され、ディスプレイ装置にタッチパネルが一体化されたタッチスクリーンで構成されてもよい。
【００７３】
インタフェース１３２は、スマートフォン１００に連結される外部機器と通路の役割をする手段で、外部機器からデータを送受信したり、電源の供給を受けてスマートフォン１００内部の各構成に伝達する。例えば、有線イヤジャッキ、無線ヘッドセットポート、充電器連結ポート、有／無線データポート、メモリカードポート、オーディオＩ／Ｏポート、ビデオＩ／Ｏポートなどがインタフェース１３２に含まれる。
【００７４】
メモリ１３４は、スマートフォン１００で生成またはダウンロードされたデータ、または外部から送られたデータを保存する手段であって、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ラム（Ｒａｎｄｏｍ  Ａｃｃｅｓｓ  Ｍｅｍｏｒｙ、ＲＡＭ）、ＳＲＡＭ（Ｓｔａｔｉｃ  Ｒａｎｄｏｍ  Ａｃｃｅｓｓ  Ｍｅｍｏｒｙ）、ロム（Ｒｅａｄ  Ｏｎｌｙ  Ｍｅｍｏｒｙ、ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  Ｒｅａｄ  Ｏｎｌｙ  Ｍｅｍｏｒｙ）磁気メモリ、磁気ディスク、光ディスクの少なくとも１つのタイプの記憶媒体を含むことができる。
【００７５】
制御部１５０は、スマートフォン１００の全般的な動作を制御する。例えば、音声通話、データ通信、画像通話、アプリケーションの実行などに関連する制御およびデータ処理を行う。また、制御部１５０は、スマートフォン１００に設けられたオペレーションシステム、基本的に搭載されるアプリケーション、ユーザがダウンロードして格納したアプリケーション、および以下に説明される本発明に関連するアプリケーションおよびソフトウェア的なモジュールの動作と処理を制御することができる。
【００７６】
ここで、本発明のスマートフォンを用いた通話中のアプリケーション連携システムは、図１のように、電話通話モジュール１７２、無音切替モジュール１７４、広告連携モジュール１７６、通話中のアプリケーション連携モジュール１７８、発信者マッチング名刺検索モジュール１８０、日程管理モジュール１８２、常時メモモジュール１８４、ポイント管理モジュール１８６、および緊急状況通知モジュール１８８をさらに含む。
【００７７】
電話通話モジュール１７２は、発信者端末１１０の呼接続に基づいて発信者端末１１０と電話通話を連結する。本発明では、電話通話モジュール１７２による着信、通話受信、通話終了に至るまで、スマートフォン１００のディスプレイを介して各状況に対応する画面を出力する。以下に説明される「通話待機画面」は、電話通話モジュール１７２が発信者端末１１０の呼接続要請に対応して、ユーザの応答を待つ時に出力される画面であり、「通話中画面」は、発信者端末１１０と通話が開始されて終了するまでの通話状態を表示する画面であり、「通話終了画面」は、発信者端末１１０と通話が終了した状態でユーザに表示される画面である。
【００７８】
無音切替モジュール１７４は、通話待機画面上に無音切替選択部２２０をディスプレイし、ユーザによって無音切替選択部２２０が入力される時、着信ベルまたは振動を無音に切り替える手段である。
【００７９】
広告連携モジュール１７６は、発信者端末１１０の呼接続を検知して、通話待機画面、通話中画面、および通話終了画面それぞれに無線通信網を介して受信されるプッシュ型広告コンテンツを表示する広告表示部２４０をディスプレイする。ユーザがプッシュ型広告コンテンツ上で広告コンテンツリンク項目２４２を入力すれば、当該広告と連携される広告連携モバイルウェブページ（例えば、オンライン販売サイト、割引クーポン提供サイト、広告動画をストリーミング形態で提供するウェブサイトなど）に自動リンクされる。通話待機画面および通話中画面では、プッシュ型広告コンテンツが予め定められた時間間隔をもって自動的にスライド移動するように表示することができ、通話終了画面上には、前記スライド形態でディスプレイされていた広告コンテンツを手動でスライド移動可能に表示することができる。
【００８０】
通話中のアプリケーション連携モジュール１７８は、通話待機画面、通話中画面、通話終了画面それぞれでワンクリック（ｏｎｅ−ｃｌｉｃｋ）で連携可能な複数の連携アプリケーション実行アイコンを表示する。通話待機状態、通話中の状態、および通話終了状態それぞれでユーザが連携アプリケーション実行アイコンのうちの１つを入力する場合、当該アプリケーションを呼び出して実行させることにより、通話連結状態にもかかわらず、１回の入力で多様なアプリケーションを実行可能にする。
【００８１】
また、通話中のアプリケーション連携モジュール１７８および通話中に連携されて実行される発信者マッチング名刺検索モジュール１８０、日程管理モジュール１８２、常時メモモジュール１８４、ポイント管理モジュール１８６、および緊急状況通知モジュール１８８はいずれも、アプリケーションの実行が終了することを確認して、元の通話待機画面、通話中画面、および通話終了画面に復帰させることができる。
【００８２】
発信者マッチング名刺検索モジュール１８０は、ＣＩＤサービスによって提供される発信者端末１１０の電話番号に基づいてユーザが入力またはスキャンして保存した名刺を検索し、発信者端末１１０の電話番号にマッチングされる情報を含む名刺を抽出して通話待機画面、通話中画面、または通話終了画面上に出力する。
【００８３】
日程管理モジュール１８２は、ユーザによって日程管理アプリケーション実行アイコン３４０が入力される場合、画面上にカレンダーをディスプレイし、カレンダーで特定の日付が選択されたり、日程追加選択ボタン４４０が入力される場合、ユーザから日程内容の入力を受けて保存する。
【００８４】
常時メモモジュール１８４は、ユーザによって常時メモアプリケーション実行アイコン３５０が入力される時、メモアプリケーションを実行させる。この時、常時メモモジュール１８４は、通話中にスマートフォン１００の一側に挿入されたスタイラスペン（図示せず）の引出を検知する場合にも、メモアプリケーションを実行させることができる。
【００８５】
ポイント管理モジュール１８６は、ユーザによってポイント管理アプリケーション実行アイコン３８０が入力される時、ポイント管理アプリケーションを実行させる。ポイント管理アプリケーションは、ユーザが保有した累積ポイントおよび使用した使用ポイントを画面上に表示して、広告コンテンツと連携された販売サイトに移動して購入をする場合などに、ユーザが保有ポイントおよび使用ポイントを確認できるようにする。
【００８６】
緊急状況通知モジュール１８８は、ユーザによって緊急状況通知アプリケーション実行アイコン３４５が入力される場合、通話待機画面または通話中画面上に緊急状況通知ページ６５０をディスプレイする。緊急状況通知ページ６５０は、ボイスフィッシングや緊急救助を知らせるためのユーザインタフェースを提供する。緊急状況通知アプリケーションが実行されてユーザが通話待機状態または通話中の状態でボイスフィッシングに遭った状態を指定されたユーザに知らせたり、緊急救助を警察署、消防署、サイバー安全局などに通報する過程については、図６〜９を参照して後述する。
【００８７】
図２〜４はそれぞれ、本発明における通話待機画面、通話中画面、および通話終了画面状態でのアプリケーション連携方法を例示したフローチャートである。
【００８８】
図２を参照すれば、発信者端末１１０の呼接続に基づいて発信者端末１１０と電話通話を連結することからステップが始まる（ＳＴ２１０）。そして、ＣＩＤサービスによって提供される発信者端末１１０の電話番号がスマートフォン１００上に画面出力される（ＳＴ２１５）。電話通話モジュール１７２は、ＣＩＤサービスから提供される電話番号がメモリ１３４に保存された連絡先の情報と一致する場合、当該情報を呼び出して発信者の名前を併せて表示することができる。
【００８９】
ここで、本発明のスマートフォンを用いた通話中のアプリケーション連携方法は、通話待機画面から離脱しない状態で連携アプリケーションを実行させる時、着信ベルや振動によって妨げられないように無音切替モードを提供する。無音切替モジュール１７４は、通話待機画面上に無音切替選択部２２０を表示する。制御部１５０は、ユーザによって無音切替選択部２２０に対する入力が発生するかを判断する（ＳＴ２２０）。もし、無音切替選択部２２０に対して予め定められた入力（例えば、スライド入力）が発生すれば、着信ベルまたは振動を無音処理する（ＳＴ２２５）。
【００９０】
次に、通話待機画面上に連携アプリケーションの実行アイコンおよび広告コンテンツを表示する（ＳＴ２３０）。通話中のアプリケーション連携モジュール１７８は、通話待機画面の一側に連携可能なアプリケーションの実行アイコンを（例えば、上端のメニューバーを提供する形態で）表示する。
【００９１】
例えば、図５以下を参照して、後述のように、通話待機画面の上端部に連携アプリケーションアイコン表示ウィンドウ３００を出力し、連携アプリケーションアイコン表示ウィンドウ３００内にメインメニュー移動アイコン、名刺検索アイコン３２０、連絡先アプリケーション実行アイコン３３０、日程管理アプリケーション実行アイコン３４０、緊急状況通知アプリケーション実行アイコン３４５、常時メモアプリケーション実行アイコン３５０、音声検索アプリケーション実行アイコン３６０、インターネット検索アプリケーション実行アイコン３７０、ポイント管理アプリケーション実行アイコン３８０、および受信音消去トグルアイコン３９０を表示する。
【００９２】
広告連携モジュール１７６は、プッシュ形態で提供される広告コンテンツを通話待機画面の中央部に位置した広告表示部２４０を介して表示し、広告コンテンツ内には広告連携モバイルウェブページ２７０に移動するための広告コンテンツリンク項目２４２を提供する。
【００９３】
次に、連携アプリケーションアイコン表示ウィンドウ３００内に配置される連携アプリケーションアイコンのいずれか１つが入力されるか否かを判断し（ＳＴ２３５）、もし、ある連携アプリケーションアイコンが入力されると、当該連携アプリケーションを実行させる（ＳＴ２４０）。
【００９４】
あるいは、広告表示部２４０上に表示される広告コンテンツリンク項目２４２が入力されるか否かを判断し（ＳＴ２４５）、もし、広告コンテンツリンク項目２４２が入力されると、当該広告コンテンツを提供した広告会社または製品販売先のモバイルウェブページにリンクサービスを提供する（ＳＴ２５０）。
【００９５】
次に、ユーザ入力による通話連結の可否を判断する（ＳＴ２５５）。
【００９６】
もし、ユーザが通話拒否項目を入力すれば、そのまま終了する。反面、ユーザが通話連結項目を入力すれば、ステップＳＴ３１０へ進む。
【００９７】
図３を参照すれば、ステップＳＴ３１０で通話関連入力項目を表示することから通話中状態が開始される（ＳＴ３１０）。この後、通話中画面上に、ステップＳＴ２３０と同様に、連携アプリケーション実行アイコンおよび広告コンテンツを表示する（ＳＴ３１５）。
【００９８】
次に、図２を参照して説明したのと同様に、連携アプリケーションアイコン表示ウィンドウ３００内に配置される連携アプリケーションアイコンのいずれか１つが入力されるか否かを判断し（ＳＴ３２０）、もし、ある連携アプリケーションアイコンが入力されると、当該連携アプリケーションを実行させる（ＳＴ３２５）。
【００９９】
あるいは、広告表示部２４０上に表示される広告コンテンツリンク項目２４２が入力されるか否かを判断し（ＳＴ３３０）、もし、広告コンテンツリンク項目２４２が入力されると、当該広告コンテンツを提供した広告会社または製品販売先のモバイルウェブページにリンクサービスを提供する（ＳＴ３３５）。
【０１００】
次に、ユーザ入力による通話終了の可否を判断する（ＳＴ３４０）。
【０１０１】
もし、ユーザが通話終了項目を入力していない状態であれば、ステップＳＴ３１５の後のステップを引き続き実行し、ユーザが通話終了項目を入力すれば、ステップＳＴ４１０へ進む。
【０１０２】
通常のスマートフォンの電話通話モジュール１７２は、ユーザが通話終了項目を入力する場合、通話連結を直ちに終了し、ホーム画面に復帰する。しかし、本発明では、通話終了画面を出力し、通話終了画面上でアプリケーション連携モードを続ける。
【０１０３】
図４を参照すれば、通話終了関連入力項目を表示することから通話終了に関連するプロセスが開始される（ＳＴ４１０）。通話終了関連入力項目は、少なくとも通話終了画面離脱アイコン２９２を含む。
【０１０４】
この後、通話終了画面上に、先に説明したのと同様に、連携アプリケーション実行アイコンおよび広告コンテンツを表示する（ＳＴ４１５）。ただし、通話終了画面では、前記通話待機画面および通話中画面でプッシュ型広告コンテンツを自動的にスライド表示するのとは異なり、通話待機および通話中状態でディスプレイされていた広告コンテンツを手動で移動させて確認できるように表示し、具体的な説明は、図２１を参照して後述する。
【０１０５】
次に、図２および３のように、連携アプリケーションアイコン表示ウィンドウ３００内に配置される連携アプリケーションアイコンのいずれか１つが入力されるか否かを判断し（ＳＴ４２０）、もし、ある連携アプリケーションアイコンが入力されると、当該連携アプリケーションを実行させる（ＳＴ４２５）。
【０１０６】
あるいは、広告表示部２４０上に表示される広告コンテンツリンク項目２４２が入力されるか否かを判断し（ＳＴ４３０）、もし、広告コンテンツリンク項目２４２が入力されると、当該広告コンテンツを提供した広告会社または製品販売先のモバイルウェブページにリンクサービスを提供する（ＳＴ４３５）。
【０１０７】
次に、通話終了画面上に表示された通話終了画面離脱アイコン２９２の入力を判断する（ＳＴ４４０）。もし、ユーザが通話終了画面離脱アイコン２９２を入力していない状態であれば、ステップＳＴ４１５の後のステップを引き続き実行し、ユーザが通話終了画面離脱アイコン２９２を入力すれば、プロセスは終了する。
【０１０８】
以下、通話待機状態、通話中状態、および通話終了状態それぞれで１回の入力で連携アプリケーションを呼び出して実行させる実施例および広告コンテンツリンクサービスを提供する実施例について、図５〜２２を参照して具体的に説明する。
【０１０９】
図５は、本発明における電話受信時の通話待機画面を例示した図である。
【０１１０】
図５を参照すれば、スマートフォン１００の上端には、バッテリ状態、現在時間、電波受信感度などを表示する状態表示ウィンドウ２１０が位置する。状態表示ウィンドウ２１０の下に、連携アプリケーションアイコン表示ウィンドウ３００、無音切替選択部２２０、発信者番号表示部２３０、広告表示部２４０、プッシュ通知ウィンドウ２５０、および通話連結／拒否選択部２６０が位置する。
【０１１１】
連携アプリケーションアイコン表示ウィンドウ３００は、本発明により、通話待機画面、通話中画面、および通話終了画面で１回の入力ですぐに連携アプリケーションを実行させることができる連携アプリケーションの実行アイコンが表示されるウィンドウである。図５に拡大して示しているように、連携アプリケーションアイコン表示ウィンドウ３００内には１０個の実行アイコンが表示され、１０個の実行アイコンは、メインメニュー移動アイコン３１０、名刺検索アイコン３２０、連絡先アプリケーション実行アイコン３３０、日程管理アプリケーション実行アイコン３４０、緊急状況通知アプリケーション実行アイコン３４５、常時メモアプリケーション実行アイコン３５０、音声検索アプリケーション実行アイコン３６０、インターネット検索アプリケーション実行アイコン３７０、ポイント管理アプリケーション実行アイコン３８０、受信音消去トグルアイコン３９０である。各アイコンは、ユーザのタッチ入力によって活性化され、各アイコンに対するユーザ入力が発生する場合、通話中のアプリケーション連携モジュール１７８は、ユーザ入力に対応する連携アプリケーションを実行させる。
【０１１２】
メインメニュー移動アイコン３１０は、通話待機画面、通話中画面、および通話終了画面それぞれからメインメニューに移動するためのアイコンであって、本発明において、メインメニューとは、図５に例示しているように、ある連携アプリケーションも実行されず、広告表示部２４０が画面中央に表示される状態を意味する。
【０１１３】
受信音消去トグルアイコン３９０は、通話相手から受信される音声信号を消去させるためのアイコンである。例えば、本発明により、通話待機状態、通話中状態、および通話終了状態それぞれで音声認識を利用して連絡先検索やウェブ検索を行おうとする場合、または、通話中に単独で重要メッセージを録音しようとする場合、受信音消去トグルアイコン３９０を１回入力することで受信音がマイクに流入することを遮断することができる。通話中のアプリケーション連携モジュール１７８は、受信音消去トグルアイコン３９０が１回入力される時、通話相手から受信される音声信号のボリュームを０（ｚｅｒｏ）に下げたり、受信データを遮断する方式で受信音を消去させる。受信音消去トグルアイコン３９０がもう一度入力されると、受信音は元どおりに復帰する。
【０１１４】
その他の連携アプリケーション実行アイコンの入力に対応して、連携アプリケーションが実行される例示は、以下の図面を参照して後述する。
【０１１５】
無音切替選択部２２０は、スライド入力形態で提供され、無音切替を直観的に認識できるアイコンとスライド入力を案内するグラフィックで構成される。ユーザが指やタッチ入力ツールを用いて無音切替選択部２２０を右側に（または左側に）スライド入力させる場合、無音切替モジュール１７４は、着信ベルまたは振動を無音に切り替える。
【０１１６】
図５の例示では、連携アプリケーション表示ウィンドウ３００と無音切替選択部２２０が別個の表示部に形成されたものとして例示したが、無音切替選択部２００をスライド入力する場合、無音切替選択部２００が消えるにつれ、消えた箇所に連携アプリケーション表示ウィンドウ３００が出現されるように構成されてもよい。このような実施例は、スマートフォン１００のディスプレイ空間を効率的に利用できるようにする。
【０１１７】
発信者番号表示部２３０は、ＣＩＤサービスによって提供される発信者の電話番号を表示する部分で、もし、発信者端末１１０の電話番号が既に保存された連絡先に存在するならば、図５に示しているように、連絡先に保存された名前と発信者の電話番号を併せて表示する。発信者番号表示部２３０の一側には、電話受信待機を知らせるメッセージが画面出力される。
【０１１８】
広告表示部２４０は、通話待機画面で通話受信に関連するグラフィックやテキストが位置しない余白に広告サーバから受信した広告イメージまたは動画などの広告コンテンツを表示する。例えば、広告表示部２４０は、スマートフォン１００のディスプレイの中央部位に表示される。
【０１１９】
広告連携モジュール１７６は、発信者端末１１０の呼接続を検知する場合、広告サーバと連結されて広告サーバから提供するプッシュ型広告コンテンツを受信し、受信された広告コンテンツのフレームを広告表示部２４０の大きさに合わせて変換して表示する。
【０１２０】
この時、広告コンテンツは、予め定められた時間間隔をもって自動的にスライド移動するように表示され、それぞれの広告コンテンツには、広告コンテンツを提供した広告会社、製品販売先、割引クーポン提供者などのモバイルウェブページに移動できる広告コンテンツリンク項目２４２が含まれる。ユーザが広告コンテンツリンク項目２４２を入力する場合、広告連携モバイルウェブページ２７０へのリンクサービスが提供される。
【０１２１】
図示しないが、広告表示部２４０上には、広告表示を中断させるための広告表示中断選択項目が画面出力され、ユーザが広告表示中断選択項目を入力する場合、広告表示を中断させるように構成されてもよい。
【０１２２】
プッシュ通知ウィンドウ２５０は、未確認メッセージ、メール、留守番電話、各種アプリケーションの通知メッセージなどが表示される空間である。
【０１２３】
通話連結／拒否選択部２６０は、スライド入力で通話を連結または拒否するタッチユーザインタフェース項目を提供する。
【０１２４】
そして、図示のように、スマートフォン１００の下端部ベゼルにホームキー１９２、メニューキー１９４、戻るキー１９６がタッチキー（ｔｏｕｃｈ  ｋｅｙ）形態で提供できる。通常知られているように、ホームキー１９２は、通話待機画面および通話中画面などから離脱して、スマートフォン１００で指定されたホーム画面に移動するキーであり、メニューキー１９４は、ポップアップウィンドウでメニューを活性化させるキーであり、戻るキー１９６は、前の画面に移動するキーである。ホームキー１９２、メニューキー１９４、および戻るキー１９６は、物理的なタッチキー形態ではない、有効ディスプレイ領域内に含まれるソフトキー形態で提供されてもよいことはもちろんである。
【０１２５】
図６〜図９は、本発明における緊急状況通知アプリケーションが実行されてボイスフィッシングや緊急救助を外部に知らせる過程を図であり、図６は、緊急状況通知アプリケーションが実行された状態を例示し、図７は、図６から進んで、ボイスフィッシング通知画面に切り替えられた状態を例示し、図８は、ボイスフィッシング通知対象者の情報編集の例を示し、図９は、図６から進んで、緊急救助通知画面に切り替えられた状態を例示する。
【０１２６】
図６〜９の例示は、通話待機画面で緊急救助通知アプリケーションが実行された状態を例示しているが、この例示は、通話中画面や通話終了画面でも同一に適用可能である。
【０１２７】
ユーザが通話待機画面状態で図５に挙げられた連携アプリケーション実行アイコンのうち緊急状況通知アプリケーション実行アイコン３４５を入力する場合、図６に示されているように、スマートフォン１００には緊急状況通知ページ６５０が表示される。緊急状況通知ページ６５０は、ユーザがボイスフィッシングを指定された対象者に知らせたり、緊急救助信号を発送するためのページである。
【０１２８】
図６を参照すれば、緊急状況通知ページ６５０は、上端にバー状の緊急状況通知表示部６５１が配置され、緊急状況通知表示部６５１の左側端には戻るボタン６５３が配置され、右側端には追加ボタン６５５が配置される。ユーザによって戻るボタン６５３が入力される場合、図５に例示された通話待機画面に復帰することができる。ユーザによって追加ボタン６５５が入力される場合、ボイスフィッシング通知対象者を新たに指定するページ、または、緊急救助通報先を新たに指定するページが活性化されて、通知または通報対象者の情報を編集したり入力する画面に切り替えられる。
【０１２９】
緊急状況通知ページ６５０の中央にはボイスフィッシング通知選択項目６５７と緊急救助通知選択項目６５９とが配置される。ユーザがボイスフィッシング通知選択項目６５７を入力する場合、図７に例示されたボイスフィッシング通知ページ６６０に切り替えられ、ユーザが緊急救助通知選択項目６５９を入力する場合、図９に例示された緊急救助通知ページ６８０に切り替えられる。
【０１３０】
図７を参照すれば、ボイスフィッシング通知ページ６６０は、複数の通知対象者選択項目６６１、６６２、６６３、６６４が並ぶ構造を有する。それぞれの通知対象者選択項目は、ユーザと通知対象者との関係および通知対象者の名前をテキストで表示することができる。例えば、第１通知対象者選択項目６６１および第２通知対象者選択項目６６２は、子供関係と子供の名前を示すことができる。第３通知対象者選択項目６６３は、妻を表し、第４通知対象者選択項目６６４は、その他の関係の人を表すことができる。
【０１３１】
もし、ユーザがいずれか１つの通知対象者選択項目を入力する場合、緊急状況通知モジュール１８８は、予め指定された対象者の携帯電話に文字メッセージを発送することができる。文字メッセージは、ボイスフィッシングが疑われる電話を受信中にあるという情報を表すことができる。他の例として、緊急状況通知モジュール１８８は、通話待機状態を解除し、予め指定された対象者の携帯電話に呼連結を試みることができる。
【０１３２】
例えば、ユーザが息子を人質にするボイスフィッシング電話を受けてから、同一の発信者番号から再び電話がかかってきた場合、または、相手と通話中にそのようなボイスフィッシングの事実を認知した場合を仮定する。ユーザは、通話待機画面や通話中画面から離脱せず、図６に例示されているように、緊急状況通知アプリケーションを実行させることができる。そして、図７に例示されたボイスフィッシング通知ページ６６０上で第１通知対象者選択項目６６１を入力することができる。この時、通話待機状態であれば、緊急状況通知モジュール１８８は、着信を停止し、直ちに保存された息子の携帯電話に呼連結を試みることができる。他の例として、息子の携帯電話に『ボイスフィッシングが疑われる電話を受信中です。直ちに無事を確認できる文字を送ってください。』などの文字メッセージを送ることができる。さらに他の例として、第４通知対象者選択項目６６４にサイバー安全局を予め入力しておき、サイバー安全局にボイスフィッシングをすぐに通報するようにしてもよい。
【０１３３】
図８は、ボイスフィッシング通知対象者の情報を編集する例を示す図で、ユーザが図６の追加ボタン６５５を入力する場合、図８のようなボイスフィッシング通知対象者情報編集ウィンドウ６７０が活性化される。ボイスフィッシング通知対象者情報編集ウィンドウ６７０は、上端に情報編集状態を確認できるバー状の情報編集表示部６７１が配置され、情報編集表示部６７１の左側端部には戻るボタン６７３が配置され、右側端部には編集内容を保存するための保存ボタン６７５と編集内容を取り消すための取消ボタン６７７とが配置される。ボイスフィッシング通知対象者情報編集ウィンドウ６７０上にユーザがタッチ入力をすれば、画面下端に仮想キーパッド９００が活性化されてテキストを入力できるようにする。ユーザは、仮想キーパッド９００を介してボイスフィッシング通知対象者の人的情報（例えば、名前、電話番号、住所など）を入力することができ、保存ボタン６７５が入力されると、入力された情報が対象者の名前とマッチングされて保存される。
【０１３４】
図９は、緊急救助通知ページ６８０を例示した図で、図６の緊急状況通知ページ６５０上で緊急救助通知選択項目６５９が入力される時、スマートフォン１００の画面は、図９の緊急救助通知ページ６８０に切り替えられる。
【０１３５】
図９を参照すれば、緊急救助通知ページ６８０は、上端に緊急救助通知状態を確認できるようにするバー状の緊急救助通知表示部６８１が配置され、緊急救助通知表示部６８１の左側端部には戻るボタン６８３が配置され、右側端部には緊急救助通報対象を追加するための追加ボタン６８５が配置される。緊急救助通知ページ６８０の中央には犯罪通報連結項目６８７、救助通報連結項目６８８、およびサイバー犯罪通報連結項目６８９が配置される。このような通報連結項目は、ユーザによって追加可能である。
【０１３６】
緊急状況通知モジュール１８８は、ユーザが犯罪通報連結項目６８７を入力した場合、直ちに１１２に呼連結を試みたり、犯罪通報に関連するメッセージを警察署サーバに送る。もし、ユーザが救助通報連結項目６８８を入力した場合であれば、１１９に呼連結を試みたり、救助通報に関連するメッセージを消防管理サーバに送る。もし、ユーザがサイバー犯罪通報連結項目６８９を入力した場合であれば、１８２に呼連結を試みたり、サイバー犯罪通報に関連するメッセージをサイバー安全局サーバに送る。
【０１３７】
例えば、ユーザが相手との通話でセクハラに遭った場合であれば、ユーザは、通話中画面から離脱せず、通話中画面上端の連携アプリケーションアイコン表示ウィンドウ３００で緊急状況通知アプリケーション実行アイコン３４５を入力することができる。次に、図６に例示された緊急状況通知ページ６５０上で緊急救助通知選択項目６５９を入力する。そして、図９の緊急救助通知ページ６８０上で犯罪通報連結項目６８７を入力すれば、１１２に呼連結が試みられて犯罪通報内訳を残すことができる。この時、図示しないが、犯罪通報連結項目６８７が入力された後、警察署サーバに送る文字メッセージ項目を入力するウィンドウが活性化される。ユーザは、犯罪事実について文字を入力した後、警察署サーバに送られるようにしてもよい。さらに他の例として、犯罪通報連結項目６８７が入力された後、自動的に相手との通話内容を録音するようにし、通話が終了した後に録音されたファイルが通報情報とともに警察署サーバに送られるようにしてもよい。
【０１３８】
図１０は、図５の画面で広告コンテンツリンク項目２４２が入力されて、広告連携モバイルウェブページに移動した状態を例示した図である。
【０１３９】
もし、ユーザが図５の状態で所望の広告コンテンツについてより詳しい情報を閲覧しようとする場合、または、広告コンテンツに含まれた製品を購入しようとする場合、直ちに広告コンテンツと連結されたウェブページに移動しようとすることができる。この時、広告コンテンツリンク項目２４２を入力することができる。
【０１４０】
広告連携モジュール１７６は、広告コンテンツリンク項目２４２が入力される場合、当該広告コンテンツと連携された広告連携モバイルウェブページ２７０にリンクサービスを提供する。ユーザは、広告連携モバイルウェブページ２７０上で所望の情報（例えば、広告閲覧に対する見返りとして提供される割引クーポンなど）を閲覧したり、割引クーポンのダウンロードを受けたり販促製品を購入することができる。
【０１４１】
画面上端にはギフトするアイコン２７２および共有アイコン２７４が表示される。ユーザは、ギフトするアイコン２７２を入力してダウンロードされたクーポンや購入した製品（例えば、ギフティコンなど）を保存された連絡先やＳＮＳアドレスに送ることができる。また、共有アイコン２７４を入力して当該広告連携モバイルウェブページ２７０へのリンク情報を保存された連絡先やＳＮＳアドレスに送ることができる。
【０１４２】
図１０に例示された広告連携モバイルウェブページは、通話中画面または通話終了画面で広告コンテンツリンク項目２４２を入力する場合にも同一に適用される画面である。
【０１４３】
図１１は、通話待機画面で名刺検索アイコン３２０が入力されて名刺検索アプリケーションが実行された状態を例示した図である。
【０１４４】
図１１を参照すれば、連携アプリケーションアイコン表示ウィンドウ３００上で名刺検索アイコン３２０が活性化され、発信者マッチング名刺検索モジュール１８０は、発信者の電話番号にマッチングされる名刺を検索して名刺表示部３２２にディスプレイする。したがって、ユーザは、発信者と通話連結をする前に、発信者に関する詳しい情報を得ることができる。
【０１４５】
名刺表示部３２２の右側には次の名刺移動項目３２４が表示され、ユーザが次の名刺移動項目３２４を入力する場合、発信者の次の名刺または名刺裏面のイメージが表示される。
【０１４６】
名刺表示部３２２の下部には文字メッセージ表示ウィンドウ３２８がディスプレイされる。文字メッセージ表示ウィンドウ３２８は、発信者とやり取りした文字メッセージを表示する。文字メッセージ表示ウィンドウ３２８上には文字メッセージ表示ウィンドウ拡張項目３２６が表示され、ユーザが文字メッセージ表示ウィンドウ拡張項目３２６を入力する場合、名刺表示部３２２の表示領域まで文字メッセージ表示ウィンドウ３２８を拡張して表示する。
【０１４７】
一方、発信者マッチング名刺検索モジュール１８０は、第三者の名刺を検索する機能を追加的に提供することができる。図示しないが、発信者マッチング名刺検索モジュール１８０は、第三者の名刺を検索できる名刺検索ウィンドウを提供し、ユーザが名刺検索ウィンドウに名前、電話番号、会社名、その他の個人識別のための情報を入力する場合、入力された情報にマッチングされる名刺をスマートフォン１００に内蔵されたメモリ１３４またはウェブデータベースサーバ（図示せず）から抽出して名刺表示部３２２を介してディスプレイすることができる。ここで、ウェブデータベースサーバから抽出される名刺は、印刷形態の名刺をスキャンしたイメージだけでなく、ユーザや発信者側で名刺形態で保存した第三者情報（名前、電話番号、会社名、その他の個人識別情報など）を含む意味で理解できる。スマートフォン１００上で第三者の名刺は発信者の名刺を代替して表示され、他の例として、発信者の名刺と第三者の名刺が１つの画面に分割されて表示されてもよい。
【０１４８】
図１２は、通話中画面のメインメニュー状態を例示した図で、発信者と通話が開始され、メインメニュー移動アイコン３１０が活性化された状態を例示する。
【０１４９】
ユーザが通話待機画面で通話連結／拒否選択部２６０を入力して通話を連結する場合、図１２のような通話中画面に切り替えられる。
【０１５０】
図１２を参照すれば、通話中画面のメインメニュー状態で画面中央には広告表示部２４０が表示され、下端部には通話中メニュー表示ウィンドウ２８０がディスプレイされる。
【０１５１】
ユーザが広告表示部２４０上で広告コンテンツリンク項目２４２を入力する場合、広告連携モバイルウェブページ２７０に移動することは、前記図１０を参照して説明したものと同じである。
【０１５２】
通話中メニュー表示ウィンドウ２８０は、通常知られているように、録音アイコン、追加音量を上げるアイコン、ブルートゥース（登録商標）アイコン、スピーカ通話アイコン、キーパッドアイコン、送話音遮断アイコンを表示し、これに追加的に通話を終了しようとする時に入力する通話終了入力項目２８２が表示される。
【０１５３】
図１３は、通話中状態で連絡先アプリケーションが実行された状態を例示した図で、ユーザが連携アプリケーションアイコン表示ウィンドウ３００で連絡先アプリケーション実行アイコン３３０を入力した場合、通話中のアプリケーション連携モジュール１７８がスマートフォン１００に基本的にインストールされた連絡先アプリケーションを呼び出して実行させた状態を例示している。
【０１５４】
図１３を参照すれば、連携アプリケーション表示ウィンドウ３００で連絡先アプリケーション実行アイコン３３０が活性化され、画面中央には連絡先表示ウィンドウ３３２がディスプレイされる。
【０１５５】
連絡先表示ウィンドウ３３２の上端には連絡先を入力して検索できる連絡先検索ウィンドウ３３４が表示される。図示のように、連絡先検索ウィンドウ３３４にカーソルを位置させる場合、画面下端に仮想キーパッド９００が出現され、仮想キーパッド９００を用いて連絡先を検索することができる。
【０１５６】
連絡先検索ウィンドウ３３４の右側端部には入力された連絡先を検索するための連絡先検索選択ボタン３３８が表示され、それに隣接して、ユーザの音声入力で連絡先を検索するための音声検索選択ボタン３３６が表示される。
【０１５７】
ユーザは、連絡先を音声入力で検索しようとする場合、図５を参照して説明した受信音消去トグルアイコン３９０を入力して通話相手の受信音を遮断した後、音声検索選択ボタン３３６を入力して音声検索を行うことができる。音声検索が完了した後には、受信音消去トグルアイコン３９０をもう一度入力して受信音を正常に復旧させることができる。
【０１５８】
図１３に例示しているように、通話中の画面から離脱せず、１回の入力で連絡先アプリケーションを実行させることができるので、通話中に第三者の連絡先を確認したり、通話相手に第三者の連絡先を知らせることが非常に容易に実現できる。
【０１５９】
図１４〜１７は、通話中に日程管理アプリケーションが実行された状態を例示した図である。
【０１６０】
ユーザは、通話中に相手との重要な日程を確認したり新たに記入する必要があり得る。この場合、従来は通話中の画面から離脱して日程管理アプリケーションを実行させなければならなかったが、本発明では、通話中画面上ですぐに日程管理アプリケーションを実行させて日程確認および記入を行うことができる。
【０１６１】
図１４を参照すれば、ユーザが連携アプリケーションアイコン表示ウィンドウ３００で日程管理アプリケーション実行アイコン３４０を入力する場合、当該アイコンが活性化されながら、図１４のカレンダー表示部４００がディスプレイされる。
【０１６２】
カレンダー表示部４００の上端には年月表示部４１０が位置し、中央には月暦の各日付を表示する日付表示部４２０が位置する。日付表示部４２０のうち今日の日付に相当する位置には今日の日付表示マーク４３０が表示され、右側下端には日程を新たに追加できる日程追加選択ボタン４４０が提供される。
【０１６３】
ユーザは、日程を追加しようとする日付表示部４２０をタップして選択したり、日程追加選択ボタン４４０をタップして選択することで所望の日程を入力することができる。また、所望の日付に相当する日付表示部４２０を選択して日程を確認することもできる。もし、ユーザが新しい日程を入力すれば、日程管理モジュール１８２は、ユーザから入力された日程情報をメモリ１３４に保存する。
【０１６４】
図１５は、図１４から進んで、特定の日付の日程表示状態を例示した図である。
【０１６５】
図１５を参照すれば、ユーザが日付表示部４２０のうち１０月１３日を選択して今日の日程を確認しようとする場合、日程表示状態バー４５０に今日の日付と日程関連のタイトルが表示される。日程表示状態バー４５０の左側には図１４のカレンダー表示部４００に復帰する戻るボタン４６０が表示され、右側には当該日付に日程を追加できる日程追加選択ボタン４４０が表示される。
【０１６６】
日程表示状態バー４５０の下には当該日付の日程が時系列的に表示される日程表示ウィンドウ４７０が表示される。日程表示ウィンドウ４７０で個別日程を示すテキストは、個別的に区画されて個別日程選択項目４８０を形成する。
【０１６７】
ユーザが個別日程を確認すべく所望の個別日程選択項目４８０を入力すれば、図１６のように、特定の日程の詳細内容を表示する状態に切り替えられる。
【０１６８】
図１６を参照すれば、日程表示状態バー４５０の左側には日程表示ウィンドウ４７０に復帰するための戻るボタン４６０が表示され、右側には当該個別日程を編集するための日程編集項目４９２と、当該個別日程を削除するための日程削除項目４９４と、当該個別日程を共有するための日程共有項目４９６とが表示される。
【０１６９】
日程表示状態バー４５０の下には当該個別日程の詳細内容を示す詳細日程表示ウィンドウ４９０がディスプレイされる。
【０１７０】
ユーザは、日程編集項目４９２を入力して個別日程の詳細内容を編集することができる。この場合、詳細日程表示ウィンドウ４９０にカーソルが活性化され、画面下端部で仮想キーパッド９００がポップアップされて出現される。
【０１７１】
ユーザが個別日程を通話相手または第三者と共有しようとする場合、日程共有項目４９６を入力して個別日程を共有することができる。
【０１７２】
図１７は、図１６から進んで、特定の日程の共有形態選択状態を例示した図である。
【０１７３】
図１７を参照すれば、ユーザが日程共有項目４９６を入力した場合、図１６の画面下端で日程共有手段選択ウィンドウ４９８がポップアップされて出現される。日程共有手段選択ウィンドウ４９８には、電子メール、文字メッセージ、ウェブハード、ＳＮＳなど日程を共有できる手段を選択するためのアイコンが含まれ、ユーザは、所望の共有手段を入力して特定の日程を共有することができる。
【０１７４】
例えば、ユーザが図１７の画面で文字メッセージを選択すれば、詳細日程表示ウィンドウ４９０に表示された情報が発信者または第三者の連絡先にＳＭＳまたはＭＭＳメッセージ形態で送られる。
【０１７５】
このように、通話状態で通話相手または第三者に特定の日程情報を送って確認させることにより、クロスチェック（Ｃｒｏｓｓ  Ｃｈｅｃｋ）方式で日程を相互確認できるという利点がある。
【０１７６】
図１８は、通話中に常時メモアプリケーションが実行された状態を例示した図で、ユーザが連携アプリケーションアイコン表示ウィンドウ３００上で常時メモアプリケーション実行アイコン３５０を入力した状態を示す。
【０１７７】
図１８を参照すれば、発信者番号表示部２３０の下にメモ管理状態バー５１０が表示される。メモ管理状態バー５１０の右側には新規にメモを追加できるメモ追加選択ボタン５２０が表示され、メモ管理状態バー５１０の下には保存されたメモのタイトルを時系列的に表示するメモ表示ウィンドウ５３０がディスプレイされる。
【０１７８】
メモ表示ウィンドウ５３０で個別メモのタイトルを示すテキストは、それぞれ区画されて個別メモ選択項目５４０を形成する。
【０１７９】
ユーザが個別メモを確認すべく所望の個別メモ選択項目５４０を入力すれば、図１９のように、特定のメモの詳細内容を表示する状態に切り替えられる。
【０１８０】
図１９を参照すれば、メモ管理状態バー５１０の左側にはメモ表示ウィンドウ５３０に復帰するための戻るボタン５５０が表示され、右側には当該メモを編集するためのメモ編集項目５７２と、当該メモを削除するためのメモ削除項目５７４と、当該メモを共有するためのメモ共有項目５７６とが表示される。
【０１８１】
メモ管理状態バー５１０の下には当該メモの詳細内容を示す詳細メモ表示ウィンドウ５６０がディスプレイされる。
【０１８２】
ユーザは、メモ編集項目５７２を入力して個別メモの詳細内容を編集することができる。この場合、詳細メモ表示ウィンドウ５６０にカーソルが活性化され、画面下端部で仮想キーパッド９００がポップアップされて出現される。あるいは、スタイラスペンを用いて詳細メモ表示ウィンドウ５６０内に新しいメモを記入することができる。常時メモモジュール１８４は、ユーザによって入力されたメモを保存する。
【０１８３】
ユーザは、メモ共有項目５７６を入力して保存されたメモを通話相手または第三者と共有することができる。ユーザがメモ共有項目５７６を入力する場合、図１７を参照して説明したように、電子メール、文字メッセージ、ウェブハード、ＳＮＳなどメモを共有できる手段を選択するためのアイコンが活性化され、ユーザは、所望の共有手段を選択して特定のメモを共有することができる。
【０１８４】
一方、図示しないが、常時メモモジュール１８４は、スマートフォン１００の一側に挿入されたスタイラスペンの引出を検知し、スタイラスペンが引出される場合、図１８のように、常時メモアプリケーションを実行させることもできる。
【０１８５】
このように、本発明によれば、通話中の状態で常時メモアプリケーション実行アイコン３５０を入力したり、スタイラスペンを引出す動作だけで直ちにメモアプリケーションを実行できるので、通話中画面でワンクリックで重要な通話内容をメモしたり、保存されたメモを共有する作業を直ちに行うことができるという利点がある。
【０１８６】
図２０は、通話中に音声検索アプリケーションが実行された状態を例示した図である。
【０１８７】
図２０を参照すれば、ユーザは、連携アプリケーションアイコン表示ウィンドウ３００上で音声検索アプリケーション実行アイコン３６０を入力して音声検索を行うことができる。
【０１８８】
通話中のアプリケーション連携モジュール１７８は、音声検索アプリケーション実行アイコン３６０の入力に対応して、音声検索エンジンを呼び出して実行させる。スマートフォン１００の画面上には音声検索状態表示ウィンドウ６１０がディスプレイされる。音声検索途中に受信音が混入することを遮断するために、先に説明したように、受信音消去トグルアイコン３９０が利用可能である。
【０１８９】
このように、ユーザが通話中画面から離脱せず、ワンクリックで音声検索エンジンを呼び出して実行させることができ、音声検索により保存された情報またはウェブ上での情報を検索することができる。
【０１９０】
図２１は、通話中にインターネット検索アプリケーションが実行された状態を例示した図である。
【０１９１】
図２１を参照すれば、ユーザは、連携アプリケーションアイコン表示ウィンドウ３００上でインターネット検索アプリケーション実行アイコン３７０を入力してインターネット検索を行うことができる。
【０１９２】
通話中のアプリケーション連携モジュール１７８は、インターネット検索アプリケーション実行アイコン３７０の入力に対応して、インターネット検索アプリケーションを呼び出して実行させる。スマートフォン１００の画面上にはインターネットホームページ表示ウィンドウ７００がディスプレイされ、インターネットホームページ表示ウィンドウ７００には予め設定されたインターネットホームページの接続画面が表示される。ユーザは、通話中画面から離脱せず、ワンクリックでインターネット検索を行うことができる。
【０１９３】
図２２は、通話中にポイント管理アプリケーションが実行された状態を例示した図であり、図２３および２４はそれぞれ、ポイント積立内訳および使用内訳を表示した状態を例示した図である。
【０１９４】
図２２を参照すれば、ユーザは、連携アプリケーションアイコン表示ウィンドウ３００でポイント管理アプリケーション実行アイコン３８０を入力して保有ポイントおよび使用ポイントを確認することができる。
【０１９５】
ポイント管理モジュール１８６は、ポイント管理アプリケーション実行アイコン３８０の入力に対応して、図２２に示されているように、ポイント内訳表示ウィンドウ８００を画面に出力する。ポイント内訳表示ウィンドウ８００には、クレジットカードまたはデビットカードのようなポイント積立対象と各積立対象の累積ポイントが表示される。
【０１９６】
ポイント内訳表示ウィンドウ８００の上端にはポイントを検索するためのポイント検索ウィンドウ８１０が表示される。ユーザがポイント検索ウィンドウ８１０を入力する場合、画面下端で仮想キーパッド９００がポップアップされて表示される。ユーザは、仮想キーパッド９００を介してポイント積立対象を入力して検索したり、ポイント検索ウィンドウ８１０に形成された音声検索アイコンを選択して音声入力でポイント積立対象を検索することができる。
【０１９７】
ポイント内訳表示ウィンドウ８００は、図示のように表形態で提供され、それぞれのテキストは、個別ポイント選択項目８２０を形成する。ユーザが個別ポイント選択項目８２０を入力する場合、図２３に進んで、当該カードのポイント積立内訳が表示される。
【０１９８】
図２３を参照すれば、画面中央には日付ごとにポイント積立内訳を表示するポイント積立内訳表示ウィンドウ８３０がディスプレイされ、ポイント積立内訳表示ウィンドウ８３０の下端には当該カードの総累積ポイントを示す累積ポイント表示部８４０が表示される。
【０１９９】
ポイント積立内訳表示ウィンドウ８３０の上端には対象カードの名前およびポイント積立内訳を示す文言が表示され、右側にはポイント使用内訳表示状態に移動するための使用内訳移動項目８５０が表示される。ユーザが使用内訳移動項目８５０を入力する場合、図２４に進んで、当該カードのポイント使用内訳が表示される。
【０２００】
図２４を参照すれば、画面中央には日付ごとにポイント使用内訳を表示するポイント使用内訳表示ウィンドウ８６０がディスプレイされ、ポイント使用内訳表示ウィンドウ８６０の下端には当該カードの総使用ポイントを示す使用ポイント表示部８７０が表示される。
【０２０１】
ポイント使用内訳表示ウィンドウ８６０の上端には対象カードの名前およびポイント使用内訳を示す文言が表示され、左側にはポイント積立内訳表示状態に移動するための積立内訳移動項目８８０が表示される。ユーザが積立内訳移動項目８８０を入力する場合、図２３に進んで、当該カードのポイント積立内訳が表示される。
【０２０２】
図２５は、通話終了画面が実行された状態を例示した図であり、図２６は、図２５から進んで、通話終了画面離脱選択状態を例示した図である。
【０２０３】
従来、スマートフォン１００の電話通話モジュール１７２は、ユーザが通話終了ボタンを入力する場合、直ちに通話連結を終了していたが、本発明では、通話終了画面を出力し、通話終了画面上で広告コンテンツの提供および連携アプリケーションの実行を可能にする。これによって、ユーザが通話待機状態および通話中の状態で関心をもっていた広告コンテンツを再び確認できるようにし、通話に関連する日程管理やメモ記入などを可能にする。本発明における通話終了画面は、発信者と通話連結は終了したが、プッシュ型広告コンテンツのディスプレイと連携アプリケーションの活用は依然として可能な状態の画面を意味する。
【０２０４】
図２５を参照すれば、通話終了画面上で図５および１２のような広告表示部２４０がディスプレイされる。図５および１２の例示と異なる点は、広告コンテンツを手動でスライド移動して表示するという点である。
【０２０５】
広告連携モジュール１７６は、通話終了を検知して通話待機画面および通話中画面を介してディスプレイしていたプッシュ型広告コンテンツを表示するが、広告表示部２４０の両側端部にはスライド選択項目２４４を併せて表示する。ユーザがスライド選択項目２４４を入力する場合、広告コンテンツを切り替えて表示する。ユーザは、左右のスライド選択項目２４４を用いて通話待機状態および通話中の状態で受信されたすべての広告コンテンツを確認することができる。
【０２０６】
ユーザが広告表示部２４０上の広告コンテンツリンク項目２４２を入力する場合、図１０を参照して説明したように、広告連携モバイルウェブページ２７０にリンクサービスが提供される。
【０２０７】
広告表示部２４０の下には前述したプッシュ通知ウィンドウ２５０が表示され、プッシュ通知ウィンドウ２５０の下に通話終了メニュー表示ウィンドウ２９０がディスプレイされる。
【０２０８】
通話終了メニュー表示ウィンドウ２９０は、通話相手の連絡先を確認する連絡先をみる、再通話を試みるための通話ボタンおよび映像通話ボタン、メッセージ送信のためのボタンなどが表示され、これに、追加的に通話終了画面離脱アイコン２９２が表示される。
【０２０９】
通話終了画面離脱アイコン２９２は、本発明により提供される通話終了画面から完全に離脱するためのアイコンであって、ユーザが通話終了画面離脱アイコン２９２を入力する場合、図２６に進む。
【０２１０】
図２６を参照すれば、通話終了メニュー表示ウィンドウ２９０が非活性化されながら、その上に通話終了画面離脱の可否を確認する離脱選択項目２９４と、離脱取消項目２９６とが現れる。離脱取消項目２９６が入力される場合、再び図２５の通話終了画面に復帰する。離脱選択項目２９４が入力されると、直ちに通話終了画面の表示を中断し、本発明に係るスマートフォンを用いた通話中のアプリケーション連携方法の提供を終了させる。
【０２１１】
以上開示された発明は、基本的な思想を損なわない範囲内で多様な変形例が可能である。すなわち、上記の実施例はすべて例示的に解釈されなければならず、限定的に解釈されない。したがって、本発明の保護範囲は、上述した実施例ではなく、添付した請求項によって定められなければならず、添付した請求項に限定された構成要素を均等物に置き換えた場合、これは、本発明の保護範囲に属すると見なすべきである。
【産業上の利用可能性】
【０２１２】
本発明は、スマートフォン分野およびスマートフォンに搭載されるＯＳとアプリケーション分野に利用可能である。
【図１】
2020516205.tif 000003
【図２】
2020516205.tif 000004
【図３】
2020516205.tif 000005
【図４】
2020516205.tif 000006
【図５】
2020516205.tif 000007
【図６】
2020516205.tif 000008
【図７】
2020516205.tif 000009
【図８】
2020516205.tif 000010
【図９】
2020516205.tif 000011
【図１０】
2020516205.tif 000012
【図１１】
2020516205.tif 000013
【図１２】
2020516205.tif 000014
【図１３】
2020516205.tif 000015
【図１４】
2020516205.tif 000016
【図１５】
2020516205.tif 000017
【図１６】
2020516205.tif 000018
【図１７】
2020516205.tif 000019
【図１８】
2020516205.tif 000020
【図１９】
2020516205.tif 000021
【図２０】
2020516205.tif 000022
【図２１】
2020516205.tif 000023
【図２２】
2020516205.tif 000024
【図２３】
2020516205.tif 000025
【図２４】
2020516205.tif 000026
【図２５】
2020516205.tif 000027
【図２６】
2020516205.tif 000028
【国際調査報告】
2020516205.tif 000029
2020516205.tif 000030
2020516205.tif 000031
2020516205.tif 000032